(57)【要約】【課題】ロック解除操作の操作性を向上させること。【解決手段】装置（例えば、スマートフォン）１は、ロック画面を表示するタッチスクリーンディスプレイ２と、ロック状態において、タッチスクリーンディスプレイ２に対する複数の接触が検出された場合、当該検出された複数の接触の相対位置に基づいて、ロック状態を解除するコントローラ１０と、を備える。【選択図】図５
2013134709.tif 000002
【特許請求の範囲】
【請求項１】
ロック画面を表示するタッチスクリーンディスプレイと、
ロック状態において、前記タッチスクリーンディスプレイに対する複数の接触が検出された場合、当該検出された複数の接触の相対位置に基づいて、前記ロック状態を解除するコントローラと、
を備える装置。
【請求項２】
前記コントローラは、前記複数の接触が検出された前記タッチスクリーンディスプレイ上の各接触領域の中心点に対応する各中心座標に基づいて、前記相対位置を決定する請求項１に記載の装置。
【請求項３】
前記コントローラは、前記複数の接触が検出された前記タッチスクリーンディスプレイ上の各接触領域の中心点に対応する各中心座標間の距離に基づいて、前記相対位置を決定する請求項１または２に記載の装置。
【請求項４】
前記コントローラは、前記複数の接触が検出された前記タッチスクリーンディスプレイ上の各接触領域の中心点に対応する各中心座標を通る平行線を設定し、設定した各平行線間の距離に基づいて、前記相対位置を決定する請求項１から３のうちいずれか一項に記載の装置。
【請求項５】
前記コントローラは、前記複数の接触が検出された前記タッチスクリーンディスプレイ上の各接触領域の中心点に対応する各中心座標を通る平行線を設定し、互いに距離が最も近い隣接する接触領域を第１の接触領域および第２の接触領域として設定し、当該第１の接触領域の中心座標と当該第２の接触領域の中心座標を結ぶ第１の線分、および、当該第１の接触領域の中心座標から当該第２の接触領域の中心座標を通る平行線上で垂直に交わる第２の線分がなす角度に基づいて、前記相対位置を決定する請求項１から４のうちいずれか一項に記載の装置。
【請求項６】
前記コントローラは、前記複数の接触が検出された各接触領域の面積を算出し、算出した各接触領域の面積の相対比に基づいて、前記相対位置を決定する請求項１から５のうちいずれか一項に記載の装置。
【請求項７】
前記コントローラは、前記ロック状態において、前記タッチスクリーンディスプレイに対する複数の接触が検出された場合、当該検出された複数の接触の相対位置が人間の手の接触の相対位置と判定した場合に、前記ロック状態を解除する請求項１から６のうちいずれか一項に記載の装置。
【請求項８】
前記コントローラは、
前記ロック状態の解除中に、利用者の複数の指が揃った状態で前記タッチスクリーンディスプレイにより検出された複数の接触に基づいて、前記ロック状態を解除するための解除パターンを設定し、
前記ロック状態において、前記タッチスクリーンディスプレイに対する複数の接触が検出された場合、当該検出された複数の接触の相対位置と前記解除パターンとが一致した場合に、前記ロック状態を解除する請求項１から７のうちいずれか一項に記載の装置。
【請求項９】
前記複数の接触は、３点以上の接触である請求項１から８のうちいずれか一項に記載の装置。
【請求項１０】
タッチスクリーンディスプレイを備える装置を制御する方法であって、
ロック画面を前記タッチスクリーンディスプレイに表示させるステップと、
ロック状態において、前記タッチスクリーンディスプレイによって複数の接触が検出された場合、当該検出された複数の接触の相対位置に基づいて、前記ロック状態を解除するステップと、
を含む方法。
【請求項１１】
タッチスクリーンディスプレイを備える装置に、
ロック画面を前記タッチスクリーンディスプレイに表示させるステップと、
ロック状態において、前記タッチスクリーンディスプレイによって複数の接触が検出された場合、当該検出された複数の接触の相対位置に基づいて、前記ロック状態を解除するステップと、
を実行させるプログラム。
【発明の詳細な説明】
【技術分野】
【０００１】
本出願は、装置、方法、及びプログラムに関する。特に、本出願は、タッチスクリーンを有する装置、その装置を制御する方法、及びその装置を制御するためのプログラムに関する。
【背景技術】
【０００２】
タッチスクリーンを備えるタッチスクリーンデバイスが知られている。タッチスクリーンデバイスには、例えば、スマートフォン及びタブレットが含まれる。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅである。
【先行技術文献】
【特許文献】
【０００４】
【特許文献１】国際公開第２００８／０８６３０２号
【発明の概要】
【発明が解決しようとする課題】
【０００５】
タッチスクリーンデバイスの多くは、利用者によって操作されない期間がある期間継続するとロック状態へ移行する。ロック状態において、タッチスクリーンデバイスは、特定の操作を除いて、利用者の操作を受け付けない。特定の操作とは、例えば、ロック状態を解除するためのロック解除操作である。
【０００６】
このような理由により、タッチスクリーンデバイスは、ロック状態に頻繁に移行するので、利用者がロック解除操作を行う頻度は高い。このような理由により、ロック解除操作の操作性を向上させることができる装置、方法、及びプログラムに対するニーズがある。
【課題を解決するための手段】
【０００７】
１つの態様に係る装置は、ロック画面を表示するタッチスクリーンディスプレイと、ロック状態において、前記タッチスクリーンディスプレイによって複数の接触が検出された場合、当該検出された複数の接触の相対位置に基づいて、前記ロック状態を解除するコントローラと、を備える。
【０００８】
１つの態様に係る方法は、タッチスクリーンディスプレイを備える装置を制御する方法であって、ロック画面を前記タッチスクリーンディスプレイに表示させるステップと、ロック状態において、前記タッチスクリーンディスプレイによって複数の接触が検出された場合、当該検出された複数の接触の相対位置に基づいて、前記ロック状態を解除するステップと、を含む。
【０００９】
１つの態様に係るプログラムは、タッチスクリーンディスプレイを備える装置に、ロック画面を前記タッチスクリーンディスプレイに表示させるステップと、ロック状態において、前記タッチスクリーンディスプレイによって複数の接触が検出された場合、当該検出された複数の接触の相対位置に基づいて、前記ロック状態を解除するステップと、を実行させる。
【図面の簡単な説明】
【００１０】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６】図６は、ロック画面の一例を示す図である。
【図７】図７は、実施形態に係るスマートフォンが行う制御の第１の例を示す図である。
【図８】図８は、実施形態に係るスマートフォンが行う制御の第２の例を示す図である。
【図９】図９は、実施形態に係るスマートフォンが行う制御の第３の例を示す図である。
【図１０】図１０は、実施形態に係るスマートフォンが行う制御の第４の例を示す図である。
【図１１】図１１は、実施形態に係るスマートフォンが行う制御の第５の例を示す図である。
【図１２】図１２は、実施形態に係るスマートフォンが行う制御の処理手順を示すフローチャートである。
【発明を実施するための形態】
【００１１】
図面を参照しつつ実施形態を詳細に説明する。以下では、タッチスクリーンを備える装置の一例として、スマートフォンについて説明する。
【００１２】
（実施形態）
図１から図３を参照しながら、本実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１４】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００１５】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００１６】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、ペン、又はスタイラスペン等は単に「指」ということがある。
【００１７】
スマートフォン１は、タッチスクリーン２Ｂにより検出された接触、接触が検出された位置、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１８】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間以上触れるジェスチャである。スマートフォン１は、タッチスクリーン２Ｂに指が一定時間以上接触するジェスチャをロングタッチとして判別する。
【００１９】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２０】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２１】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２２】
「フリック」は、タッチに続いて指が一方方向へ移動しながらリリースするジェスチャである。スマートフォン１は、タッチに続いて指が一方方向へ移動しながらリリースするジェスチャをフリックとして判別する。フリックの移動速度は、スワイプおよびドラッグの移動速度と比較して高速である。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。
【００２３】
「ピンチイン」は、複数の指が近付く方向にスワイプするジェスチャである。スマートフォン１は、複数の指が近付く方向にスワイプするジェスチャをピンチインとして判別する。「ピンチアウト」は、複数の指が遠ざかる方向にスワイプするジェスチャである。スマートフォン１は、複数の指が遠ざかる方向にスワイプするジェスチャをピンチアウトとして判別する。
【００２４】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なる。以下では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２５】
図４を参照しながら、ディスプレイ２Ａに表示されるホーム画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２６】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２７】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン又はバックスクリーンと呼ばれることもある。スマートフォン１は、任意の画像を壁紙４１として用いることができる。利用者の設定に従って任意の画像が壁紙４１として決定されてもよい。
【００２８】
スマートフォン１は、ホーム画面の数を増減することができる。スマートフォン１は、例えば、ホーム画面の数を利用者による設定に従って決定する。スマートフォン１は、ホーム画面の数が複数であっても、選択された１つをディスプレイ２Ａに表示する。
【００２９】
スマートフォン１は、ホーム画面上に、１つ又は複数のロケータを表示する。ロケータの数は、ホーム画面の数と一致する。ロケータは、どのホーム画面が現在表示されているかを示す。現在表示されているホーム画面に対応するロケータは、他のロケータと異なる態様で表示される。
【００３０】
図４に示す例では、４つのロケータ５１が表示されている。これは、ホーム画面４０の数が４つであることを示す。さらに、図４に示す例では、左から２番目のシンボルが他のシンボルと異なる態様で表示されている。これは、現在、左から２番目のホーム画面がディスプレイ２Ａに表示されていることを示している。
【００３１】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。例えば、スマートフォン１は、左フリックを検出すると、ディスプレイ２Ａに表示するホーム画面を１つ右のホーム画面に切り替える。
【００３２】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３３】
ホーム画面４０の上下方向は、ディスプレイ２Ａに表示される文字または画像の上下方向を基準とした方向である。よって、ホーム画面４０は、タッチスクリーンディスプレイ２の長手方向において領域４２に近い側がホーム画面４０の上側となり、領域４２から遠い側がホーム画面４０の下側となる。領域４２において電波レベルマーク４４が表示されている側がホーム画面４０の右側であり、領域４２において残量マーク４３が表示されている側がホーム画面４０の左側である。スマートフォン１は、ホーム画面４０に表示される文字または画像の上下方向に基づいて、例えば、ホーム画面の左方向、斜め左上方向、斜め右上方向、右方向、斜め右下方向、および、斜め左下方向を決定する。
【００３４】
図４に示したホーム画面は、一例であり、各種の要素の形態、各種の要素の配置、ホーム画面の数、及びホーム画面での各種の操作の仕方等は上記の説明の通りでなくてもよい。
【００３５】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３６】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３７】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュである。
【００３８】
ボタン３Ａ〜３Ｃは、例えば、ホームボタン、バックボタン、又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３９】
照度センサ４は、照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ４及び近接センサ５は、一つのセンサとして構成されていてもよい。
【００４０】
通信ユニット６は、無線により通信する。通信ユニット６によって行われる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４１】
レシーバ７及びスピーカ１１は、コントローラ１０から送信される音声信号を音声として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、利用者等の音声を音声信号へ変換してコントローラ１０へ送信する。
【００４２】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の非一過的（ｎｏｎ−ｔｒａｎｓｉｔｏｒｙ）な記憶デバイスを含んでよい。ストレージ９は、複数の種類の記憶デバイスを含んでよい。ストレージ９は、メモリカード、光ディスク、又は光磁気ディスク等の可搬の記憶媒体と、記憶媒体の読み取り装置との組み合わせを含んでよい。
【００４３】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４４】
ストレージ９は、例えば、制御プログラム９Ａ、メールアプリケーション９Ｂ、ブラウザアプリケーション９Ｃ、及び設定データ９Ｚを記憶する。メールアプリケーション９Ｂは、電子メール機能を提供する。電子メール機能は、例えば、電子メールの作成、送信、受信、及び表示等を可能にする。ブラウザアプリケーション９Ｃは、ＷＥＢブラウジング機能を提供する。ＷＥＢブラウジング機能は、例えば、ＷＥＢページの表示、及びブックマークの編集等を可能にする。設定データ９Ｚは、スマートフォン１の動作に関する各種の設定機能を提供する。例えば、設定データ９Ｚは、スマートフォン１のロック状態を解除する解除パターンを記憶している。解除パターンは、タッチスクリーン２Ｂに対する複数の接触の相対位置に対応する。ここで、複数の接触の相対位置は、利用者の複数の指に対応する複数の接触（タッチ）が検出されたタッチスクリーン２Ｂ上の接触位置の相対的な位置関係を示す。つまり、複数の接触の相対位置とは、接触位置の相対的な位置関係を示すパターンともいえる。
【００４５】
本実施形態において、設定データ９Ｚに記憶される解除パターンは、ロック状態の解除中に、利用者の複数の指が揃った状態でタッチスクリーン２Ｂにより検出された複数の接触に基づいて設定される。例えば、スマートフォン１は、特定のボタン３がクリックされる等の所定の操作が検出されると、解除パターンを登録するための登録画面をディスプレイ２Ａに表示する。ここで、利用者が登録画面上で複数の指を揃えた状態でタッチスクリーン２Ｂをタッチすると、スマートフォン１は、複数の指に対応する接触位置に基づいて、後述する図７〜図１１に示すような、接触領域の中心座標、各中心座標間の距離、各中心座標を通る各平行線間の距離、隣接する接触領域間で算出される角度、および、各接触領域の面積の相対比等を算出し、これらのうち少なくとも１つに基づいて、接触位置の相対的な位置関係を示すパターンとして、解除パターンを登録する。
【００４６】
スマートフォン１は、解除パターンを登録する際、所定回数、利用者に同じ動作を促すようメッセージを登録画面上に表示してもよい。この場合、スマートフォン１は、１回目に登録した解除パターンと２回目に登録した解除パターンが異なる場合、解除パターンの設定をやり直すメッセージを登録画面上に表示する。例えば、利用者が１回目の登録において、指を揃えた状態で登録画面をタッチしたが、２回目の登録において、指を広げた状態で登録画面をタッチした場合、スマートフォン１は、解除パターンの設定をやり直すメッセージを登録画面上に表示してもよい。また、スマートフォン１は、所定回数登録された解除パターンの平均を最適な解除パターンとして登録してもよい。このようにして登録された解除パターンは、スマートフォン１がロック状態を解除する際に参照される。
【００４７】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、ロック画面を表示する機能と、ロック状態において、タッチスクリーンディスプレイ２に対する複数の接触が検出された場合、当該検出された複数の接触の相対位置に基づいて、ロック状態を解除する機能とが含まれる。制御プログラム９Ａが提供する機能は、メールアプリケーション９Ｂ等の他のプログラムが提供する機能と組み合わせて利用されることがある。
【００４８】
コントローラ１０は、演算回路である。演算回路は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、又はＦＰＧＡ（Ｆｉｅｌｄ−Ｐｒｏｇｒａｍｍａｂｌｅ  Ｇａｔｅ  Ａｒｒａｙ）である。コントローラ１０は、スマートフォン１の動作を統括的に制御して各種の機能を実現する。
【００４９】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。コントローラ１０は、検出部の検出結果に応じて、制御を変更することがある。機能部は、ディスプレイ２Ａ、通信ユニット６、マイク８、及びスピーカ１１を含むが、これらに限定されない。検出部は、タッチスクリーン２Ｂ、ボタン３、照度センサ４、近接センサ５、レシーバ７、カメラ１２、カメラ１３、加速度センサ１５、方位センサ１６、及びジャイロスコープ１７を含むがこれらに限定されない。
【００５０】
コントローラ１０は、例えば、制御プログラム９Ａを実行することにより、ロック状態において、タッチスクリーンディスプレイ２に対する複数の接触が検出された場合、当該検出された複数の接触の相対位置が条件を満たした場合、ロック状態を解除する処理を実行する。
【００５１】
カメラ１２は、フロントフェイス１Ａに面している物体を撮影するインカメラである。カメラ１３は、バックフェイス１Ｂに面している物体を撮影するアウトカメラである。
【００５２】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置である。
【００５３】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５４】
図５においてストレージ９が記憶するプログラムの一部又は全部は、通信ユニット６による無線通信で他の装置からダウンロードされてもよい。図５においてストレージ９が記憶するプログラムの一部又は全部は、ストレージ９に含まれる読み取り装置が読み取り可能な非一過的な記憶媒体に記憶されていてもよい。図５においてストレージ９が記憶するプログラムの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、又はメモリカードである。
【００５５】
図５に示したスマートフォン１の構成は一例であり、本出願の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも一つを検出するための他の種類のセンサを備えてもよい。
【００５６】
図６から図１２を参照しながら、制御プログラム９Ａが提供する機能に基づく制御の例について説明する。制御プログラム９Ａが提供する機能には、ロック状態において、タッチスクリーンディスプレイ２に対する複数の接触が検出された場合、当該検出された複数の接触の相対位置に基づいて、ロック状態を解除する機能が含まれる。以下に、ロック状態が設定されている間に利用者の指示に従って実行される制御の例を示す。
【００５７】
ここで、図６を用いて、ロック画面の例について説明する。ロック画面は、スマートフォン１がロックされていることを示す画面である。スマートフォン１は、例えば、タッチスクリーンディスプレイ２またはボタン３等に対する操作が行われずに所定の時間が経過するとロックされる。スマートフォン１は、例えば、スマートフォン１のスリープ／スリープ解除ボタンであるボタン３Ｄがクリックされた場合にもロックされる。スマートフォン１は、ロックされると、ロック状態を解除するために予め設定された操作が行われた場合にのみ、各種機能を実行することが可能な状態となる。
【００５８】
スマートフォン１は、ロックが解除されると、ロック画面を消去し、ロックされる直前にディスプレイ２Ａに表示していた画面を再びディスプレイ２Ａに表示する。例えば、スマートフォン１は、ホーム画面４０をディスプレイ２Ａに表示している状態でロックされた場合、ロックが解除されると、ホーム画面４０を再びディスプレイ２Ａに表示する。なお、スマートフォン１のロックが解除されたときにディスプレイ２Ａに表示される画面は、ロックされる直前に表示していた画面と異なる画面であってもよい。
【００５９】
図６は、ディスプレイ２Ａに表示されたロック画面６０を示す図である。図６に示すように、スマートフォン１は、ディスプレイ２Ａにロック画面６０および領域４２を表示している。領域４２は、図４と同様に、ディスプレイ２Ａの上端に表示される。ロック画面６０には、日付および時刻が領域４２の下側に表示されている。スマートフォン１は、領域４２を、ロック画面６０と一緒に表示しなくてもよい。
【００６０】
図７は、実施形態に係るスマートフォンが行う制御の第１の例を示す図である。この第１の例では、スマートフォン１は、タッチスクリーン２Ｂによって複数の接触が検出された各接触領域の中心点に対応する各中心座標に基づいて決定された相対位置のパターンを、上記の解除パターンとして設定している。
【００６１】
スマートフォン１は、図７に示すように、ステップＳ１１で、図６に示したロック画面６０をディスプレイ２Ａ（タッチスクリーンディスプレイ２）に表示している。
【００６２】
そして、ステップＳ１２では、利用者が、４本の指（指Ｆ１、指Ｆ２、指Ｆ３、指Ｆ４）を揃えた状態で、タッチスクリーン２Ｂ（タッチスクリーンディスプレイ２）においてロック画面６０が表示された部分をタッチしている。
【００６３】
この場合、スマートフォン１は、ロック画面６０に対する複数の位置での接触を検出する。具体的には、スマートフォン１は、ロック画面６０に対する複数の位置での接触を略同時に検出する。
【００６４】
本実施形態において、略同時とは、複数の指によるタッチが行われるとき、第１位置でのタッチが検出された時間と第２位置でのタッチが検出された時間との差が所定の時間間隔内である場合を含む概念である。つまり、スマートフォン１は、複数の位置でのタッチが厳密に同時に行われていない場合であっても、複数の位置でのタッチが検出された時間が所定の時間間隔内に収まっていれば、タッチスクリーンにおいて複数の位置が同時にタッチされたと判定する。例えば、スマートフォン１は、利用者が複数の指を順番にタッチスクリーンに置いた場合、つまり、複数の指による接触のタイミングがそれぞれずれた場合であっても、最初の指のタッチが検出された時間から最後の指のタッチが検出された時間が所定の時間間隔内であれば、複数の指が同時にタッチスクリーンに触れている状態にあると認識して、複数の接触として検出する。当然ながら、略同時とは、複数の位置でのタッチが同時に行われた場合、つまり、第１位置でのタッチが検出された時間と第２位置でのタッチが検出された時間との差がない場合も含む。
【００６５】
スマートフォン１は、ロック画面６０に対する複数の位置での接触を検出すると、ステップＳ１３に示すように、各指Ｆ１〜指Ｆ４の略先端部分における略楕円形領域に対応する接触領域（タッチ点）Ｔ１〜Ｔ４を検出する。スマートフォン１は、利用者が４本の指Ｆ１〜Ｆ４の先端部分だけなく指の裏全体をタッチスクリーン２Ｂ上に置いた場合であっても、パターンマッチング技術等を利用して特徴点を抽出することにより、各指Ｆ１〜指Ｆ４の略先端部分における略楕円形領域に対応する接触領域（タッチ点）Ｔ１〜Ｔ４を検出することができる。
【００６６】
次に、スマートフォン１は、ステップＳ１４に示すように、ステップＳ１３で検出した各接触領域Ｔ１〜Ｔ４の中心点に対応する各中心座標Ｃ１〜Ｃ４を算出する。そして、スマートフォン１は、ステップＳ１４で算出した各中心座標Ｃ１〜Ｃ４に基づいて複数の接触の相対位置（すなわち、複数の接触が検出されたタッチスクリーン２Ｂ上の接触位置の相対的な位置関係を示すパターン）を決定する。
【００６７】
その後、スマートフォン１は、決定した複数の接触の相対位置のパターンと、設定データ９Ｚに記憶された解除パターンと一致するか否かを判定して一致する場合は、ロック状態を解除する。スマートフォン１は、例えば、ディスプレイ２Ａの表示をロック画面６０から図４と同様のホーム画面４０に変更する。
【００６８】
このように、スマートフォン１は、ロック画面６０が複数の指を揃えた状態でタッチされている場合に、複数の指の各接触領域の中心点に対応する各中心座標により決定される相対位置のパターンに基づいて、スマートフォン１のロック状態を解除する。つまり、スマートフォン１は、決定された相対位置のパターンと所定条件とを比較し、決定された相対位置のパターンが所定条件を満たした場合、スマートフォン１のロック状態を解除する。これにより、スマートフォン１は、簡易なロック解除操作でロック状態を解除することができる。ここで、利用者の手の大きさ、指の太さ、長さは利用者ごとに異なるため、接触領域の中心点に対応する中心座標より決定される、複数の接触の相対位置も利用者ごとに異なる。よって、スマートフォン１は、利用者の判別を行うこともできセキュリティ性も確保することができる。このように、本実施形態によれば、セキュリティ性の確保とロック解除操作の操作性の向上とを両立させることができる。
【００６９】
また、スマートフォン１は、接触位置の相対位置のパターンに基づいて、ロック解除を行うかを判定することで、タッチスクリーンディスプレイ２と複数の指との相対的な向きに影響を受けることなく判定を行うことができる。これにより、利用者は、スマートフォン１の向きを考慮せず、タッチスクリーンディスプレイ２に指を接触させるだけで、ロック状態を解除させることができる。
【００７０】
図７に示す第１の例では、スマートフォン１は、ロック画面が４本の指を揃えた状態でタッチされるとロック状態を解除するが、本実施形態はこれに限られない。スマートフォン１は、利用者が、３本の指または２本の指を揃えた状態で、タッチスクリーン２Ｂ（タッチスクリーンディスプレイ２）においてロック画面６０が表示された部分をタッチした場合も、設定データ９Ｚに記憶された解除パターンと、決定した相対位置のパターンとが部分一致するか否かを判定し、部分一致する場合、ロック状態を解除してもよい。
【００７１】
図８は、実施形態に係るスマートフォンが行う制御の第２の例を示す図である。この第２の例では、スマートフォン１は、各中心座標間の距離に基づいて決定された相対位置のパターンを、上記の解除パターンとして設定している。
【００７２】
図８に示すように、スマートフォン１は、上述の図７のステップＳ１４で、タッチスクリーン２Ｂによって複数の接触が検出された各接触領域Ｔ１〜Ｔ４の中心点に対応する各中心座標Ｃ１〜Ｃ４を算出した後、算出した各中心座標間の距離Ｄ１〜Ｄ３を算出する。そして、スマートフォン１は、算出した各中心座標間の距離Ｄ１〜Ｄ３に基づいて複数の接触の相対位置を決定する。
【００７３】
その後、スマートフォン１は、決定した複数の接触の相対位置のパターンと、設定データ９Ｚに記憶された解除パターンと一致するか否かを判定して一致する場合は、ロック状態を解除する。スマートフォン１は、例えば、ディスプレイ２Ａの表示をロック画面６０から図４と同様のホーム画面４０に変更する。
【００７４】
このように、スマートフォン１は、ロック画面６０が複数の指を揃えた状態でタッチされている場合に、複数の指の各接触領域の中心点に対応する各中心座標間の距離により決定される相対位置のパターンに基づいて、スマートフォン１のロック状態を解除する。これにより、スマートフォン１は、上記第１の例により決定された相対位置のパターンと、この第２の例により決定された相対位置のパターンとを適宜組み合わせることで、利用者ごとの識別精度を向上させることができ、その結果、セキュリティ性をさらに向上させることができる。
【００７５】
図８に示す第２の例では、スマートフォン１は、各中心座標間の距離として、Ｃ１とＣ２との間の距離Ｄ１、Ｃ２とＣ３との間の距離Ｄ２、Ｃ３とＣ４との間の距離Ｄ３を算出するが、本実施形態はこれに限られない。スマートフォン１は、Ｃ１とＣ３との距離、Ｃ１とＣ４との距離、Ｃ２とＣ４との距離も、各中心座標間の距離として算出して、これらの距離に基づいて相対位置を決定してもよい。
【００７６】
図９は、実施形態に係るスマートフォンが行う制御の第３の例を示す図である。この第３の例では、スマートフォン１は、各中心座標を通る各平行線間の距離に基づいて決定された相対位置のパターンを、上記の解除パターンとして設定している。
【００７７】
図９に示すように、スマートフォン１は、上述の図７のステップＳ１４で、各中心座標Ｃ１〜Ｃ４を算出した後、算出した各中心座標を通る各平行線Ｌ１〜Ｌ４を設定する。具体的には、スマートフォン１は、各中心座標Ｃ１〜Ｃ４を含む略楕円形の各接触領域Ｔ１〜Ｔ４の長手方向を検出し、各中心座標Ｃ１〜Ｃ４から長手方向に向かって延びる各直線が平行になるよう、各中心座標Ｃ１〜Ｃ４を通る各平行線Ｌ１〜Ｌ４を設定する。この際、スマートフォン１は、基準となる中心座標Ｃ１についてのみ接触領域Ｔ１の長手方向を検出し、当該中心座標Ｃ１から当該長手方向に向かって引いた直線を基準線として設定し、当該基準線に対して平行になるよう他の中心座標Ｃ２〜Ｃ４を通る他の平行線Ｌ２〜Ｌ４を設定してもよい。そして、スマートフォン１は、設定した各平行線Ｌ１〜Ｌ４の距離を算出する。そして、スマートフォン１は、算出した各平行線間の距離Ｄ４〜Ｄ９に基づいて複数の接触の相対位置を決定する。
【００７８】
その後、スマートフォン１は、決定した複数の接触の相対位置のパターンと、設定データ９Ｚに記憶された解除パターンと一致するか否かを判定して一致する場合は、ロック状態を解除する。スマートフォン１は、例えば、ディスプレイ２Ａの表示をロック画面６０から図４と同様のホーム画面４０に変更する。
【００７９】
このように、スマートフォン１は、ロック画面６０が複数の指を揃えた状態でタッチされている場合に、複数の指の各接触領域の中心点に対応する各中心座標を通る各平行線間の距離により決定された相対位置のパターンに基づいて、スマートフォン１のロック状態を解除する。これにより、スマートフォン１は、上記第１の例および上記第２の例により決定された相対位置のパターンと、この第３の例により決定された相対位置のパターンとを適宜組み合わせることで、利用者ごとの識別精度を向上させることができ、その結果、セキュリティ性をより一層向上させることができる。
【００８０】
図１０は、実施形態に係るスマートフォンが行う制御の第４の例を示す図である。この第４の例では、スマートフォン１は、互いに距離が最も近い隣接する接触領域間で算出される角度に基づいて決定された相対位置のパターンを、上記の解除パターンとして設定している。
【００８１】
図１０に示すように、スマートフォン１は、上述の図７のステップＳ１４で、各中心座標Ｃ１〜Ｃ４を算出し、上述の図８で算出した各中心座標間の距離Ｄ１〜Ｄ３を算出し、更に、上述の図９で算出した各中心座標を通る各平行線Ｌ１〜Ｌ４を設定した後、互いに距離が最も近い隣接する接触領域を第１の接触領域（例えば、Ｔ１）および第２の接触領域（例えば、Ｔ２）として設定する。そして、スマートフォン１は、当該第１の接触領域の中心座標（例えば、Ｃ１）と当該第２の接触領域の中心座標（例えば、Ｃ２）を結ぶ第１の線分を算出する。そして、スマートフォン１は、当該第１の接触領域の中心座標（例えば、Ｃ１）から当該第２の接触領域の中心座標を通る平行線（例えば、Ｌ２）上で垂直に交わる第２の線分を算出する。そして、スマートフォン１は、当該第１の線分と第２の線分とがなす角度（例えば、α）を算出する。そして、スマートフォン１は、算出した互いに距離が最も近い隣接する接触領域間で算出される角度に基づいて、複数の接触の相対位置を決定する。なお、角度β、γについても、スマートフォン１は、上述と同様の処理により算出することができる。
【００８２】
その後、スマートフォン１は、決定した複数の接触の相対位置のパターンと、設定データ９Ｚに記憶された解除パターンと一致するか否かを判定して一致する場合は、ロック状態を解除する。スマートフォン１は、例えば、ディスプレイ２Ａの表示をロック画面６０から図４と同様のホーム画面４０に変更する。
【００８３】
このように、スマートフォン１は、ロック画面６０が複数の指を揃えた状態でタッチされている場合に、互いに距離が最も近い隣接する接触領域間で算出される角度により決定された相対位置のパターンに基づいて、スマートフォン１のロック状態を解除する。これにより、スマートフォン１は、上記第１の例、上記第２の例、および、上記第３の例により決定された相対位置のパターンと、この第４の例により決定された相対位置のパターンとを適宜組み合わせることで、利用者ごとの識別精度をより向上させることができ、その結果、セキュリティ性をより一層向上させることができる。
【００８４】
図１１は、実施形態に係るスマートフォンが行う制御の第５の例を示す図である。この第５の例では、スマートフォン１は、各接触領域の面積の相対比に基づいて決定された相対位置のパターンを、上記の解除パターンとして設定している。
【００８５】
図１１に示すように、スマートフォン１は、上述の図７のステップＳ１３で、各指Ｆ１〜指Ｆ４の略先端部分における略楕円形領域に対応する各接触領域Ｔ１〜Ｔ４を検出した後、検出した各接触領域の面積Ａ１〜Ａ４を算出する。そして、コントローラ１０は、算出した各接触領域の面積の相対比（例えば、Ａ１を１とした場合、Ａ２は１．２、Ａ３は０．９、Ａ４は０．８）に基づいて、複数の接触の相対位置を決定する。
【００８６】
その後、スマートフォン１は、決定した複数の接触の相対位置と、設定データ９Ｚに記憶された解除パターンと一致するか否かを判定して一致する場合は、ロック状態を解除する。スマートフォン１は、例えば、ディスプレイ２Ａの表示をロック画面６０から図４と同様のホーム画面４０に変更する。
【００８７】
このように、スマートフォン１は、ロック画面６０が複数の指を揃えた状態でタッチされている場合に、各接触領域の面積の相対比に基づいて決定された相対位置のパターンに基づいて、スマートフォン１のロック状態を解除する。これにより、スマートフォン１は、上記第１の例、上記第２の例、上記第３の例、および、上記第４の例により決定された相対位置のパターンと、この第５の例により決定された相対位置のパターンとを適宜組み合わせることで、利用者ごとの識別精度をより向上させることができ、その結果、セキュリティ性をより一層向上させることができる。
【００８８】
次に、図１２を参照して、スマートフォン１がタッチスクリーン２Ｂにより検出される複数の接触の相対位置に基づいてロック状態を解除する処理手順について説明する。図１２は、スマートフォン１のコントローラ１０が行う制御を示すフローチャートである。コントローラ１０は、図１２に示す処理手順と並行して、他の処理手順を実行することがある。
【００８９】
まず、スマートフォン１のコントローラ１０は、ステップＳ１０１として、ロック画面をディスプレイ２Ａに表示する。そして、コントローラ１０は、ステップＳ１０２に進む。
【００９０】
コントローラ１０は、ステップＳ１０２で、タッチスクリーン２Ｂに対する接触が検出された否かを判定する。つまり、コントローラ１０は、タッチスクリーン２Ｂに対するタッチが行われたか否かを判定する。コントローラ１０は、タッチスクリーン２Ｂに対する接触が検出されなかったと判定した場合（ステップＳ１０２でＮｏ）、ステップＳ１０２に進む。このように、コントローラ１０は、ステップＳ１０２でタッチスクリーン２Ｂに対する接触が検出されたと判定されるまで、ステップＳ１０２の処理を繰り返す。
【００９１】
コントローラ１０は、タッチスクリーン２Ｂに対する接触が検出されたと判定した場合（ステップＳ１０２でＹｅｓ）、ステップＳ１０３に進む。コントローラ１０は、ステップＳ１０３として、タッチスクリーン２Ｂによって検出された接触が複数であるか否かを判定する。つまり、コントローラ１０は、タッチスクリーン２Ｂによって検出されたタッチが複数であるか否かを判定する。具体的には、ステップＳ１０３において、コントローラ１０は、タッチスクリーン２Ｂによって略同時に検出された接触が複数であるか否かを判定する。ステップＳ１０３において、コントローラ１０は、利用者の複数の指による接触のタイミングがそれぞれずれた場合であっても、最初の指のタッチが検出された時間から最後の指のタッチが検出された時間が所定の時間間隔内ある場合、複数の指が同時にタッチスクリーン２Ｂに触れている状態にあると認識して、接触が複数であると判定する。
【００９２】
コントローラ１０は、タッチスクリーン２Ｂによって検出された接触が複数ではないと判定した場合（ステップＳ１０３でＮｏ）、ステップＳ１０２に進む。このように、コントローラ１０は、ステップＳ１０３でタッチスクリーン２Ｂによって検出された接触が複数であると判定されるまで、ステップＳ１０２〜Ｓ１０３の処理を繰り返す。
【００９３】
コントローラ１０は、タッチスクリーン２Ｂによって検出された接触が複数であると判定した場合（ステップＳ１０３でＹｅｓ）、ステップＳ１０４に進む。コントローラ１０は、ステップＳ１０４として、タッチスクリーン２Ｂによって検出された複数の接触の相対位置を決定する。例えば、コントローラ１０は、上述の図７〜図１１に示した制御により、相対位置を決定する。そして、コントローラ１０は、ステップＳ１０４で複数の接触の相対位置を決定した後、ステップＳ１０５に進む。
【００９４】
コントローラ１０は、ステップＳ１０５として、ステップＳ１０４で決定された複数の接触の相対位置のパターンが、設定データ９Ｚに記憶された解除パターンと一致するか否かを判定する。ここで、コントローラ１０は、ステップＳ１０４で決定された複数の接触の相対位置と解除パターンとの一致度を算出し、当該一致度が所定閾値以上であるか否かを判定することにより、設定データ９Ｚに記憶された解除パターンと一致するか否かを判定してもよい。
【００９５】
コントローラ１０は、ステップＳ１０５で複数の接触の相対位置が解除パターンと一致すると判定した場合（ステップＳ１０５でＹｅｓ）、ステップＳ１０６に進む。コントローラ１０は、ステップＳ１０６として、スマートフォン１のロック状態を解除する。このとき、コントローラ１０は、ディスプレイ２Ａの表示を、ロック画面からロックされる直前にディスプレイ２Ａに表示していた画面に変更する。
【００９６】
コントローラ１０は、ステップＳ１０５で複数の接触の相対位置が解除パターンと一致しないと判定した場合（ステップＳ１０５でＮｏ）ステップＳ１０７に進む。コントローラ１０は、ステップＳ１０７として、スマートフォン１のロック状態を解除する操作をやり直すことを利用者に促すメッセージをディスプレイ２Ａに表示する。そして、コントローラ１０は、ステップＳ１０１に戻る。
【００９７】
スマートフォン１は、予め設定された利用者の指の相対位置の情報に基づいて、接触の相対位置の比較を行うことで、セキュリティ性を高くすることができる。ここで、スマートフォン１は、利用者の指の相対位置の情報を登録せずに、検出した接触の相対位置と代表的な人の指の接触の相対位置とを比較し、検出した接触の相対位置が人の指の接触であると判定した場合、ロック状態を解除するようにしてもよい。この場合、比較時に人の指であると判定する許容範囲は、上記実施形態の許容範囲よりも広くなる。
【００９８】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【００９９】
例えば、図５に示した各プログラムは、複数のモジュールに分割されていてもよい。あるいは、図５に示した各プログラムは、他のプログラムと結合されていてもよい。
【０１００】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、又はゲーム機である。あるいは、添付の請求項に係る装置は、据え置き型の電子機器であってもよい。据え置き型の電子機器は、例えば、デスクトップパソコン、及びテレビ受像器である。
【符号の説明】
【０１０１】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｚ  設定データ
１０    コントローラ
１１    スピーカ
１２、１３  カメラ
１４    コネクタ
１５    加速度センサ
１６    方位センサ
１７    ジャイロスコープ
２０    ハウジング
【図１】
2013134709.tif 000003
【図２】
2013134709.tif 000004
【図３】
2013134709.tif 000005
【図４】
2013134709.tif 000006
【図５】
2013134709.tif 000007
【図６】
2013134709.tif 000008
【図７】
2013134709.tif 000009
【図８】
2013134709.tif 000010
【図９】
2013134709.tif 000011
【図１０】
2013134709.tif 000012
【図１１】
2013134709.tif 000013
【図１２】
2013134709.tif 000014